(57)【特許請求の範囲】
【請求項１】
一方の面に接着剤層（１８）を有して、オストメイトのストーマの周囲の皮膚表面に接着されるように構成されたボディフランジ（１０）と、内側壁部（３２）と外側壁部（３４）とにより形成されたオストミーパウチ（３０）とを備え、
前記ボディフランジ（１０）は、その他方の面に、軸線方向に突出したリング部（１９）を有するとともに、前記ボディフランジ（１０）の端縁部から径方向に突出した一対のループ（２４）及び（２５）を有し、
前記一対のループ（２４）及び（２５）は、開口部（２９）と該開口部（２９）を囲む突出した囲い壁（２６）とを有して、該囲い壁（２６）の内側にポケット（２８）が形成され、
前記オストミーパウチ（３０）の内側壁部（３２）は、開口部（３６）と、該開口部（３６）を取り囲む硬さと柔軟性を有するリング（３８）と、前記柔軟性を有するリング（３８）の端縁部から径方向に突出した一対のタブ（４１）及び（４３）と、前記柔軟性を有するリング（３８）に設けられた該リング（３８）と同心的な溝（３９）と、該溝（３９）内に施された接着剤の塗膜（４０）とを有し、
前記一対のタブ（４１）及び（４３）はそれぞれ、前記ボディフランジ（１０）のリング部（１９）を前記柔軟性を有するリング（３８）に設けられた溝（３９）と整合させるために、前記一対のループ（２４）及び（２５）の内側のポケット（２８）内に係合し得るように設けられ、
前記一対のタブ（４１）及び（４３）が前記一対のループ（２４）及び（２５）のポケット（２８）内に係合したときに前記リング部（１９）が前記溝（３９）に整合させられて、該溝（３９）内に入り込むように構成されているオストミーパウチ取付け組立体。
【請求項２】
前記ボディフランジ（１０）は，リム（１４）と中央ドーム（１６）とを有している請求項１による取付け組立体。
【請求項３】
前記ボディフランジ（１０）と接着剤層（１８）との間に介在する発泡層（２２）が前記ボディフランジ（１０）に設けられている請求項２による取付け組み立体。
【請求項４】
前記ボディフランジ（１０）に設けられた接着剤層（１８）は、水を吸収することができて、湿潤粘着性と乾燥粘着性とを有するハイドロコロイドを含有する接着剤である請求項１による取付け組立体。
【請求項５】
前記一対のループ（２４），（２５）は、径方向の正反対の位置に設けられ、前記一対のタブ（４１）及び（４３）は、径方向の正反対の位置に設けられている請求項１による取付け組立体。
【請求項６】
一方の面に接着剤層（１８）を有して、オストメイトのストーマの周囲の皮膚表面に接着されるように構成されたボディフランジ（１０）と、内側壁部（３２）と外側壁部（３４）とにより形成されたオストミーパウチ（３０）とを備え、
前記ボディフランジ（１０）は、軸線方向に突出したリング部（１９）と、該ボディフランジの互いに反対側の端縁部から突出した径方向に相対する一対のループ（２４）及び（２５）とを有し、
前記一対のループ（２４）及び（２５）は、開口部（２９）と該開口部（２９）を囲む突出した囲い壁（２６）を有して、該囲い壁（２６）の内側にポケット（２８）が形成され、
前記オストミーパウチ（３０）の内側壁部（３２）は、開口部（３６）と、該開口部（３６）を取り囲む硬さと柔軟性を有するリング（３８）と、前記柔軟性を有するリング（３８）の互いに反対側の端縁部から突出した径方向に相対する一対のタブ（４１）及び（４３）と、前記柔軟性を有するリング（３８）に設けられた該リング（３８）と同心的な溝（３９）と、該溝（３９）内に施された接着剤の塗膜（４０）とを有し、
前記溝（３９）は前記ボディフランジ（１０）のリング部（１９）を受け入れて該リング部（１９）を接着して保持しており、
前記一対のタブ（４１）及び（４３）はそれぞれ、前記第一対のループ（２４），（２５）の内側のポケット（２８）内に係合させられているオストミーパウチ取付け組立体。
【請求項７】
前記ボディフランジ（１０）は、リム（１４）と中央ドーム（１６）とを有している請求項６による取付け組立体。
【請求項８】
前記ボディフランジ（１０）と接着剤層（１８）との間に介在する発泡層（２２）が前記ボディフランジ（１０）に設けられている請求項６による取付け組み立体。
【請求項９】
前記ボディフランジ（１０）に設けられた接着剤層（１８）は、水を吸収することができて、湿潤粘着性と乾燥粘着性とを有するハイドロコロイドを含有する接着剤である請求項６による取付け組立体。
【発明の詳細な説明】
【背景技術】
【０００１】
本発明は、オストミーパウチ用のツーピース取付け組立体(ツーピース・マウンティング・アッセンブリ）に関し、更に詳細に述べると、接着により結合されるツーピースの取付け組立体用の位置決めのための構成に関する。組立体は、ボディフランジを備えており、このボディフランジが、オストメイト（人工肛門等の人工の排泄孔を造設した人）のオストミー(人工の排泄孔）の周囲の皮膚の表面に接着される。ボディフランジには次にパウチ(袋）が接着される。このように構成することにより、オストメイトはボディフランジを取り外すことなく、バッグ(袋）を何回か交換することができる。
【発明の概要】
【課題を解決するための手段】
【０００２】
本発明は、ボディフランジとパウチとを接着する前にこれらのユニットを正確に整合させることができるように、ボディフランジとパウチの間を連結する使いやすい連結装置を提供する。この連結装置は、ボディフランジの径方向の正反対の位置に位置させて該ボディフランジに設けられたループと、これらのループに対応させて、径方の正反対の位置に位置させてパウチに設けられたループとを備えている。径方向の正反対の位置に配置された一方のループの一面にポケットが設けられ、径方向の正反対の位置に配置された他方のループは、連結装置を構成するために上記ポケット内に嵌り込む寸法に形成されている。これらのループが互いにスナップ結合された際に、ボディフランジ及びパウチの接着される面に圧力が加えられて、これらの部材が固定される。
【０００３】
取付組立体を所定位置に保持するための追加の安全策として、オストミーベルトを用いてもよい。ベルトに設けられたクリップが、整列されたループを貫通して、組立体を一体に保持する。
【図面の簡単な説明】
【０００４】
【図１】図１は、取付フランジの平面図である。
【図２】図２は、図１の２−２線で示された断面を示す断面図である。
【図３】図３は、取付フランジの底面図である。
【図４】図４は、パウチを示した図である。
【図５】図５は、図４の５−５線で示された断面を示した断面図である。
【０００５】
図１ないし図３を参照すると、ストーマ（人工の排泄孔）の周囲の皮膚の表面に貼り付けられるように構成されて、オストメイトのストーマＳを取り囲むボディフランジ１０が図示されている。図２に見られるように、このフランジ１０は、リム（周縁部）１４と中央ドーム部１６とを備えた、硬さと柔軟性を有するプラスチックベース部１２を備える。ドーム部１６の底部からリング部１９が突出している。
【０００６】
フランジ１０の上面は接着剤層１８により覆われている。接着剤層は、水分を吸収可能で、湿潤粘着性および乾燥粘着性の双方を有する(湿った状態でも乾燥した状態でも粘着性を有する）ハイドロコロイドを含有する接着剤であることが好ましい。接着剤層１８は、剥離ライナー２０で覆われている。剥離ライナー２０は、その除去を可能にするためのタブ（つまみ部）２１を有している。接着剤層１８とフランジ１０との間には、発泡層２２が介在している。
【０００７】
フランジ１０は更に径方向の正反対の相対する位置に配置された一対のループ２４及び２５を有する。各ループ２４，２５は、開口部２９と、該ループにポケット部２８を形成するために、開口部２９を囲む囲い壁（フェンス）２６を備え、囲い壁２６の内側にポケット部２８が形成されている。
【０００８】
図４及び５を参照すると、プラスチック製の内側壁部３２とプラスチック製の外側壁部３４とにより形成されたパウチ３０が図示されている。これらの壁部３２、３４はそれぞれの端縁部がシールされて、ストーマを受け入れるパウチを構成している。壁部３２には開口部３６が設けられ、硬さと柔軟性とを有するプラスチック製のリング３８が開口部３６を取り囲んでいる。
【０００９】
リング３８は、中央溝３９と、径方向の正反対の位置に配置された一対のリング状のタブ４１及び４３とを備えて、上記開口部を取り囲んでいる。リング３８は、接着剤の塗膜(コーティング）４０により覆われており、更に塗膜４０が剥離ライナー４２により覆われている。
【００１０】
フランジ１０がオストメイトの皮膚の上の所定位置に取り付けられて、接着剤の塗膜４０上の剥離ライナー４２が取り除かれ、リング状のタブ４１及び４３がつかまれて、該タブ４１及び４３がポケット２８内にスナップ止めされる。タブ４１及び４３が所定位置に配置されたときに、リング部１９が溝３９と整合させられて、該溝３９内に入り込む。ボディフランジ１０の交換が必要なときは、タブ４２ａ（図４参照）をつかむことによって剥がすことが出来る。
【図１】
0005415528.tif 000002
【図２】
0005415528.tif 000003
【図３】
0005415528.tif 000004
【図４】
0005415528.tif 000005
【図５】
0005415528.tif 000006